(57)【要約】【課題】端部に折れ等が生じやすい第１の情報記録媒体の片面に記録された情報と、端部に折れ等は生じにくいが第１の情報記録媒体よりも小さい第２の情報記録媒体の両面に記録された情報とを光学的に適切に読み取ることが可能な情報読取装置を提供する。【解決手段】この情報読取装置は、第１の情報記録媒体２Ａの左右の両端部に上側から接触して情報記録媒体２Ａの両端部を押える押え部４１ａと、第２の情報記録媒体２Ｂの奥端が接触する接触部４２ａとを備えており、２個の押え部４１ａの間隔は、情報記録媒体２Ｂの幅よりも広くなっている。この情報読取装置では、情報記録媒体２Ａが挿入されると、押え部４１ａが情報記録媒体２Ａの左右の両端部を上側から押えるとともに、接触部４２ａが持ち上げられて情報記録媒体２Ａの奥端が接触部４２ａの下側を通過し、情報記録媒体２Ｂが挿入されると、接触部４２ａに情報記録媒体２Ｂの奥端が接触する。【選択図】図９
2018190367.tif 000002
【特許請求の範囲】
【請求項１】
情報記録媒体に記録された情報を光学的に読み取る情報読取装置であって、
前記情報記録媒体が載置される透明な載置部材と、前記載置部材に載置された前記情報記録媒体の下面に光を照射する第１の照明と、前記載置部材に載置された前記情報記録媒体の上面に光を照射する第２の照明と、前記載置部材に載置された前記情報記録媒体の下面に記録された情報を読み取るための第１の光学系と、前記載置部材に載置された前記情報記録媒体の上面に記録された情報を読み取るための第２の光学系とを備えるとともに、
前記情報読取装置への前記情報記録媒体の挿入方向側を奥側とし、前記情報読取装置からの前記情報記録媒体の抜取り方向側を前側とし、前記情報読取装置に対する前記情報記録媒体の挿入抜取り方向を前後方向とし、上下方向と前後方向とに直交する方向を左右方向とすると、
前記情報記録媒体としての第１の情報記録媒体の左右方向の両端部のそれぞれの少なくとも一部分に上側から接触して前記第１の情報記録媒体の左右方向の両端部の少なくとも一部分を上側から押える２個の押え部を有する押え部材と、前記情報記録媒体としての第２の情報記録媒体の奥端が接触する接触部を有する接触部材とを備え、
前記第１の情報記録媒体の、前記載置部材に載置された部分の前後方向の幅は、前記第２の情報記録媒体の、前記載置部材に載置された部分の前後方向の幅よりも広くなっており、
２個の前記押え部の左右方向の間隔は、前記第２の情報記録媒体の左右方向の幅よりも広くなっており、
前記第１の情報記録媒体が前記情報読取装置に挿入されると、前記押え部が前記第１の情報記録媒体の左右方向の両端部の少なくとも一部分を上側から押えるとともに、前記接触部が持ち上げられて、前記第１の情報記録媒体の奥端が前記接触部の下側を通過し、
前記第２の情報記録媒体が前記情報読取装置に挿入されると、前記接触部に前記第２の情報記録媒体の奥端が接触することを特徴とする情報読取装置。
【請求項２】
前記押え部は、前記第１の情報記録媒体の左右方向の両端部の少なくとも奥端部分を上側から押えることを特徴とする請求項１記載の情報読取装置。
【請求項３】
前記第１の情報記録媒体が前記情報読取装置に挿入されると、前記押え部が前記第１の情報記録媒体によって持ち上げられて前記第１の情報記録媒体の左右方向の両端部の少なくとも一部分を上側から押えることを特徴とする請求項１または２記載の情報読取装置。
【請求項４】
前記第１の情報記録媒体が前記情報読取装置に挿入されたときの前記接触部の上昇量は、前記第１の情報記録媒体によって持ち上げられる前記押え部の上昇量よりも大きくなっていることを特徴とする請求項３記載の情報読取装置。
【請求項５】
前記第１の情報記録媒体が前記情報読取装置に挿入されると、前記押え部の上昇動作に連動して、前記接触部が持ち上げられることを特徴とする請求項４記載の情報読取装置。
【請求項６】
前記押え部材と前記接触部材とが別体になっており、
前記第１の情報記録媒体が前記情報読取装置に挿入されると、前記接触部材が前記押え部材によって上側に押されて前記接触部が持ち上げられることを特徴とする請求項５記載の情報読取装置。
【請求項７】
左右方向を回動の軸方向とする回動が可能となるように前記接触部材を保持する保持部材を備え、
前記保持部材および前記押え部材のいずれか一方には、前記保持部材に対して前記押え部材を上下方向に案内するためのガイドピンが左右方向に突出するように形成または固定され、
前記保持部材および前記押え部材のいずれか他方には、前記ガイドピンが係合するガイド溝が形成されていることを特徴とする請求項６記載の情報読取装置。
【請求項８】
前記押え部材は、前記ガイドピンを中心にして、かつ、左右方向を回動の軸方向として前記保持部材に対して回動可能となっており、
前記押え部材には、前記接触部材に下側から接触して前記接触部を押し上げる押上部が形成され、
左右方向から見たときに、前記押上部は、前記ガイドピンの真下に配置されていることを特徴とする請求項７記載の情報読取装置。
【請求項９】
前記押上部の上面は、左右方向から見たときの形状が円弧となる凸曲面状に形成されていることを特徴とする請求項８記載の情報読取装置。
【請求項１０】
前記載置部材に載置される前記情報記録媒体よりも上側に配置される透明な上面部を有するカバー部材と、前記保持部材に対して前記押え部材を下側に付勢する付勢部材とを備え、
前記保持部材は、前記上面部の下面に接触し、
前記第１の情報記録媒体が前記情報読取装置に挿入されていないときに、前記押え部材は、前記載置部材の上面に接触していることを特徴とする請求項７から９のいずれかに記載の情報読取装置。
【請求項１１】
前記保持部材の前端側に配置される前記付勢部材としての第１の圧縮コイルバネと、前記保持部材の奥端側に配置される前記付勢部材としての第２の圧縮コイルバネとを備え、
前記押え部材には、前記接触部材に下側から接触して前記接触部を押し上げる押上部が形成され、
前記押上部は、前記接触部よりも奥側に配置され、
前記保持部材に対する前記接触部材の回動中心は、前記押上部よりも奥側に配置され、
前記第１の圧縮コイルバネの付勢力は、前記第２の圧縮コイルバネの付勢力よりも強くなっていることを特徴とする請求項１０記載の情報読取装置。
【請求項１２】
前記押え部材は、前後方向に平行な直線状に形成される２個の前記押え部と、２個の前記押え部の奥端部を繋ぐ接続部とを備え、
前記押え部の上側は、前記第２の照明から射出された光が通過する光通過部となっていることを特徴とする請求項１から１１のいずれかに記載の情報読取装置。
【請求項１３】
前記押え部の上面は、左右方向の内側に向かうにしたがって下側へ向かうように傾斜する傾斜面となっていることを特徴とする請求項１２記載の情報読取装置。
【請求項１４】
前記接触部の下面の左右方向における中央部分には、上側に窪む凹部が形成され、
前記凹部の左右方向の幅は、前記第２の情報記録媒体の左右方向の幅よりも狭くなっていることを特徴とする請求項１から１３のいずれかに記載の情報読取装置。
【請求項１５】
前記凹部は、前後方向から見たときの形状が円弧となる凹曲面状に形成されていることを特徴とする請求項１４記載の情報読取装置。
【発明の詳細な説明】
【技術分野】
【０００１】
本発明は、情報記録媒体に記録された情報を光学的に読み取る情報読取装置に関する。
【背景技術】
【０００２】
従来、パスポートを処理するパスポートリーダが知られている（たとえば、特許文献１参照）。特許文献１に記載のパスポートリーダは、筐体の上面側に取り付けられるガラス窓と、筐体の内部に配置される第１の鏡、第２の鏡およびカメラとを備えている。このパスポートリーダでは、ガラス窓に載置されるパスポートの下面の画像がカメラによって取得されている。すなわち、このパスポートリーダでは、ガラス窓に載置されるパスポートの下面に記録された情報が光学的に読み取られている。
【先行技術文献】
【特許文献】
【０００３】
【特許文献１】特表２００８−５１５０８６号公報
【発明の概要】
【発明が解決しようとする課題】
【０００４】
本願発明者は、片面の画像情報が必要となる情報記録媒体と、この情報記録媒体よりも小さな情報記録媒体であってかつ両面の画像情報が必要となる情報記録媒体との２種類の情報記録媒体の情報を光学的に読み取ることが可能な情報読取装置の構造を検討している。たとえば、本願発明者は、パスポートの表紙の裏面に記録された情報と、パスポートよりも小さいＩＤカードの両面に記録された情報とを光学的に読み取ることが可能な情報読取装置の構造を検討している。
【０００５】
パスポートの場合、パスポートの端部に折れ等が発生してパスポートの端部が変形しやすい。情報読取装置のガラス面に載置されるパスポートの端部が変形している場合、パスポートの一部がガラス面から浮き上がり、その結果、パスポートの下面に記録された情報を情報読取装置によって光学的に適切に読み取れない場合が生じる。また、パスポートは冊子状であるため、開いた状態でガラス面に載置されるパスポートの一部がガラス面から浮き上がり、その結果、パスポートの下面に記録された情報を情報読取装置によって光学的に適切に読み取れない場合が生じやすい。したがって、パスポートの下面に記録された情報を情報読取装置によって光学的に適切に読み取るためには、パスポートが載置されるガラス面に向けてパスポートを押える必要があり、本願発明者は、パスポートを押える部材の設置を検討している。
【０００６】
これに対して、ＩＤカードの場合、パスポートと比較してＩＤカードの端部に折れ等が生じにくく、ＩＤカードの一部はガラス面から浮き上がりにくい。そのため、ＩＤカードが載置されるガラス面に向けてＩＤカードを押えなくても、ＩＤカードの下面に記録された情報を情報読取装置によって光学的に適切に読み取ることが可能である。一方で、ガラス面に向けてパスポートを押える部材が設置されていると、ＩＤカードの上面に記録された情報を光学的に読み取る際に、パスポートを押える部材が写り込んで、ＩＤカードの上面に記録された情報を光学的に適切に読み取ることができなくなるおそれがある。
【０００７】
そこで、本発明の課題は、情報記録媒体に記録された情報を光学的に読み取る情報読取装置において、パスポートのように情報記録媒体が載置される載置部材からの浮き上がりが生じやすい第１の情報記録媒体の下面に記録された情報と、ＩＤカードのように載置部材からの浮き上がりは生じにくいが第１の情報記録媒体よりも小さい第２の情報記録媒体の両面に記録された情報とを光学的に適切に読み取ることが可能な情報読取装置を提供することにある。
【課題を解決するための手段】
【０００８】
上記の課題を解決するため、本発明の情報読取装置は、情報記録媒体に記録された情報を光学的に読み取る情報読取装置であって、情報記録媒体が載置される透明な載置部材と、載置部材に載置された情報記録媒体の下面に光を照射する第１の照明と、載置部材に載置された情報記録媒体の上面に光を照射する第２の照明と、載置部材に載置された情報記録媒体の下面に記録された情報を読み取るための第１の光学系と、載置部材に載置された情報記録媒体の上面に記録された情報を読み取るための第２の光学系とを備えるとともに、情報読取装置への情報記録媒体の挿入方向側を奥側とし、情報読取装置からの情報記録媒体の抜取り方向側を前側とし、情報読取装置に対する情報記録媒体の挿入抜取り方向を前後方向とし、上下方向と前後方向とに直交する方向を左右方向とすると、情報記録媒体としての第１の情報記録媒体の左右方向の両端部のそれぞれの少なくとも一部分に上側から接触して第１の情報記録媒体の左右方向の両端部の少なくとも一部分を上側から押える２個の押え部を有する押え部材と、情報記録媒体としての第２の情報記録媒体の奥端が接触する接触部を有する接触部材とを備え、第１の情報記録媒体の、載置部材に載置された部分の前後方向の幅は、第２の情報記録媒体の、載置部材に載置された部分の前後方向の幅よりも広くなっており、２個の押え部の左右方向の間隔は、第２の情報記録媒体の左右方向の幅よりも広くなっており、第１の情報記録媒体が情報読取装置に挿入されると、押え部が第１の情報記録媒体の左右方向の両端部の少なくとも一部分を上側から押えるとともに、接触部が持ち上げられて、第１の情報記録媒体の奥端が接触部の下側を通過し、第２の情報記録媒体が情報読取装置に挿入されると、接触部に第２の情報記録媒体の奥端が接触することを特徴とする。
【０００９】
本発明の情報読取装置は、第１の情報記録媒体の左右方向の両端部のそれぞれの少なくとも一部分に上側から接触して第１の情報記録媒体の左右方向の両端部の少なくとも一部分を上側から押える２個の押え部を有する押え部材を備えており、第１の情報記録媒体が情報読取装置に挿入されると、押え部が第１の情報記録媒体の左右方向の両端部の少なくとも一部分を上側から押えている。そのため、本発明では、第１の情報記録媒体の下面に記録された情報を光学的に読み取る際に、第１の情報記録媒体の下面の、載置部材の上面からの浮き上がりを抑制することが可能になる。したがって、本発明では、パスポートのように載置部材からの浮き上がりが生じやすい第１の情報記録媒体の下面に記録された情報を光学的に適切に読み取ることが可能になる。すなわち、本発明では、パスポートのように端部に折れ等が生じて載置部材からの浮き上がりやすい第１の情報記録媒体や、パスポートのように冊子状に形成されているために載置部材からの浮き上がりやすい第１の情報記録媒体の下面に記録された情報を光学的に適切に読み取ることが可能になる。
【００１０】
また、本発明の情報読取装置では、２個の押え部の左右方向の間隔は、第２の情報記録媒体の左右方向の幅よりも広くなっている。また、本発明の情報読取装置は、第２の情報記録媒体の奥端が接触する接触部を有する接触部材を備えており、第２の情報記録媒体が情報読取装置に挿入されると、接触部に第２の情報記録媒体の奥端が接触するため、第２の情報記録媒体の上面に記録された情報を光学的に読み取る際に、前後方向において、押え部材が写り込まない位置に第２の情報記録媒体を位置決めすることが可能になる。したがって、本発明では、第２の情報記録媒体の上面に記録された情報を光学的に適切に読み取ることが可能になる。また、第２の情報記録媒体は載置部材から浮き上がりにくいため、本発明では、第２の情報記録媒体が上側から押えられていなくても、第２の情報記録媒体の下面に記録された情報を光学的に適切に読み取ることが可能になる。したがって、本発明では、ＩＤカードのように載置部材から浮き上がりにくいが第１の情報記録媒体よりも小さい第２の情報記録媒体の両面に記録された情報を光学的に適切に読み取ることが可能になる。
【００１１】
なお、本発明では、第１の情報記録媒体が情報読取装置に挿入されると、接触部が持ち上げられて、第１の情報記録媒体の奥端が接触部の下側を通過するため、第１の情報記録媒体の、載置部材に載置される部分の前後方向の幅が、第２の情報記録媒体の、載置部材に載置される部分の前後方向の幅よりも広くなっていても、前後方向における所定の位置まで第１の情報記録媒体を挿入することが可能になる。したがって、本発明では、第１の情報記録媒体の下面に記録された情報を光学的に適切に読み取ることが可能になる。
【００１２】
ここで、世界各国のパスポートでは、国際民間航空機関（ＩＣＡＯ）が公表したガイドラインに沿って作成されたパスポートが増えている。このガイドラインに沿って作成されたパスポートでは、載置部材に載置されるパスポートの表紙の裏面に顔写真や氏名等が記載されている。また、このパスポートでは、表紙の裏面の左右方向の両端部の奥端部分に、文字認識に利用される文字が記録されている。そのため、このパスポートの場合、パスポートの表紙の左右方向の両端部の奥端部分に折れや曲り（カール）があると、文字認識を適切に行うことができないといった問題が生じる。特にパスポートの表紙の裏面のように光沢処理が施されている面を読み取る場合には、パスポートの左右方向の両端部の奥端部分に折れ等が生じていると、光沢処理が施されていない他の面や他の情報記録媒体と比較して光量過多や光量不足により記録された情報を適切に読み取りにくくなると言う問題が生じやすい。
【００１３】
そこで、本発明において、押え部は、第１の情報記録媒体の左右方向の両端部の少なくとも奥端部分を上側から押えることが好ましい。このように構成すると、第１の情報記録媒体の奥端部分に折れ等が生じていても、第１の情報記録媒体の下面に記録された情報を光学的に読み取る際に、第１の情報記録媒体の左右方向の両端部の奥端部分の下面の、載置部材の上面からの浮き上がりを抑制することが可能になる。したがって、第１の情報記録媒体が、たとえば、国際民間航空機関のガイドラインに沿って作成されたパスポートのように、情報記録媒体の左右方向の両端部の奥端部分に文字認識用の文字が記録されている情報記録媒体であっても、第１の情報記録媒体の左右方向の両端部の奥端部分に記録される文字を適切に読み取って文字認識処理を適切に行うことが可能になる。
【００１４】
本発明において、第１の情報記録媒体が情報読取装置に挿入されると、押え部が第１の情報記録媒体によって持ち上げられて第１の情報記録媒体の左右方向の両端部の少なくとも一部分を上側から押えることが好ましい。このように構成すると、情報読取装置に挿入される第１の情報記録媒体を利用して、押え部を持ち上げることが可能になる。したがって、押え部を持ち上げるための機構が別途設けられている場合と比較して、情報読取装置の構成を簡素化することが可能になる。
【００１５】
本発明において、第１の情報記録媒体が情報読取装置に挿入されたときの接触部の上昇量は、第１の情報記録媒体によって持ち上げられる押え部の上昇量よりも大きくなっていることが好ましい。このように構成すると、第１の情報記録媒体の端部の変形量が大きくても、情報読取装置に挿入される第１の情報記録媒体の奥端と接触部との接触を防止することが可能になる。したがって、第１の情報記録媒体の端部の変形量が大きくても、第１の情報記録媒体の奥端を接触部の奥側まで挿入することが可能になる。
【００１６】
本発明において、第１の情報記録媒体が情報読取装置に挿入されると、押え部の上昇動作に連動して、接触部が持ち上げられることが好ましい。この場合には、たとえば、押え部材と接触部材とが別体になっており、第１の情報記録媒体が情報読取装置に挿入されると、接触部材が押え部材によって上側に押されて接触部が持ち上げられる。このように構成すると、第１の情報記録媒体によって持ち上げられる押え部の動作を利用して、接触部を持ち上げることが可能になる。したがって、接触部を持ち上げるための機構が別途設けられている場合と比較して、情報読取装置の構成を簡素化することが可能になる。
【００１７】
本発明において、情報読取装置は、たとえば、左右方向を回動の軸方向とする回動が可能となるように接触部材を保持する保持部材を備え、保持部材および押え部材のいずれか一方には、保持部材に対して押え部材を上下方向に案内するためのガイドピンが左右方向に突出するように形成または固定され、保持部材および押え部材のいずれか他方には、ガイドピンが係合するガイド溝が形成されている。
【００１８】
本発明において、押え部材は、ガイドピンを中心にして、かつ、左右方向を回動の軸方向として保持部材に対して回動可能となっており、押え部材には、接触部材に下側から接触して接触部を押し上げる押上部が形成され、左右方向から見たときに、押上部は、ガイドピンの真下に配置されていることが好ましい。この場合には、たとえば、押上部の上面は、左右方向から見たときの形状が円弧となる凸曲面状に形成されている。このように構成すると、ガイドピンを中心にして押え部材が回動して傾いても、上下方向における押上部と接触部材との接触位置が変動しにくくなる。したがって、ガイドピンを中心にして押え部材が回動して傾いても、接触部の上昇量の変動を抑制することが可能になる。
【００１９】
本発明において、情報読取装置は、載置部材に載置される情報記録媒体よりも上側に配置される透明な上面部を有するカバー部材と、保持部材に対して押え部材を下側に付勢する付勢部材とを備え、保持部材は、上面部の下面に接触し、第１の情報記録媒体が情報読取装置に挿入されていないときに、押え部材は、載置部材の上面に接触していることが好ましい。このように構成すると、付勢部材を撓ませることで、保持部材と接触部材と押え部材とをカバー部材および載置部材から取り外すことが可能になる。すなわち、このように構成すると、保持部材と接触部材と押え部材とをカバー部材および載置部材に着脱可能に取り付けることが可能になる。したがって、保持部材と接触部材と押え部材とを取り外すことで、載置部材の上面を容易に清掃することが可能になる。
【００２０】
本発明において、情報読取装置は、保持部材の前端側に配置される付勢部材としての第１の圧縮コイルバネと、保持部材の奥端側に配置される付勢部材としての第２の圧縮コイルバネとを備え、押え部材には、接触部材に下側から接触して接触部を押し上げる押上部が形成され、押上部は、接触部よりも奥側に配置され、保持部材に対する接触部材の回動中心は、押上部よりも奥側に配置され、第１の圧縮コイルバネの付勢力は、第２の圧縮コイルバネの付勢力よりも強くなっていることが好ましい。このように構成すると、情報読取装置に第１の情報記録媒体が挿入され始めた後、より早い段階で、押上部を持ち上げることが可能になり、その結果、情報読取装置に第１の情報記録媒体が挿入され始めた後、より早い段階で、押上部材によって接触部を押し上げることが可能になる。したがって、情報読取装置に挿入される第１の情報記録媒体の奥端と接触部との接触をより確実に防止しやすくなる。
【００２１】
本発明において、押え部材は、前後方向に平行な直線状に形成される２個の押え部と、２個の押え部の奥端部を繋ぐ接続部とを備え、押え部の上側は、第２の照明から射出された光が通過する光通過部となっていることが好ましい。このように構成すると、第１の情報記録媒体の左右方向の両端部を押える押え部材が設けられていても、載置部材に載置された情報記録媒体の上面に光を適切に照射することが可能になる。
【００２２】
本発明において、押え部の上面は、左右方向の内側に向かうにしたがって下側へ向かうように傾斜する傾斜面となっていることが好ましい。このように構成すると、第２の照明から射出された光が押え部によって遮られにくくなる。また、このように構成すると、情報読取装置に挿入された第２の情報記録媒体を、傾斜面を利用して２個の押え部の間に案内することが可能になる。
【００２３】
本発明において、接触部の下面の左右方向における中央部分には、上側に窪む凹部が形成され、凹部の左右方向の幅は、第２の情報記録媒体の左右方向の幅よりも狭くなっていることが好ましい。この場合には、たとえば、凹部は、前後方向から見たときの形状が円弧となる凹曲面状に形成されている。このように構成すると、左右方向の両端部が押え部によって押えられている第１の情報記録媒体の奥端部の左右方向の中心部が大きく変形していても、情報読取装置に挿入される第１の情報記録媒体の奥端と接触部との接触を防止することが可能になる。したがって、左右方向の両端部が押えられている第１の情報記録媒体の奥端部の左右方向の中心部が大きく変形していても、第１の情報記録媒体の奥端を接触部の奥側まで挿入することが可能になる。
【発明の効果】
【００２４】
以上のように、本発明では、情報記録媒体に記録された情報を光学的に読み取る情報読取装置において、パスポートのように載置部材からの浮き上がりが生じやすい第１の情報記録媒体の下面に記録された情報と、ＩＤカードのように載置部材からの浮き上がりは生じにくいが第１の情報記録媒体よりも小さい第２の情報記録媒体の両面に記録された情報とを光学的に適切に読み取ることが可能になる。
【図面の簡単な説明】
【００２５】
【図１】本発明の実施の形態にかかる情報読取装置の斜視図である。
【図２】図１に示す情報読取装置の載置部材、カバー部材、第１の照明、第２の照明および媒体押え機構を抜き出して示す斜視図である。
【図３】図２に示す載置部材、カバー部材、第１の照明、第２の照明および媒体押え機構の正面図である。
【図４】図１に示す情報読取装置の内部の光路を説明するための側面図である。
【図５】図１に示す情報読取装置のシャッタ機構の動作を説明するための側面図である。
【図６】図２に示す媒体押え機構を別の方向から示す斜視図である。
【図７】図２に示す媒体押え機構の正面図である。
【図８】図２に示す媒体押え機構の分解斜視図である。
【図９】図１に示す情報読取装置に情報記録媒体が挿入された状態を説明するための斜視図である。
【図１０】図１に示す情報読取装置に第１の情報記録媒体が挿入されたときの押え部材および接触部材の動作を説明するための側面図である。
【図１１】図６に示す押上部とガイドピンとの位置関係を説明するための側面図である。
【発明を実施するための形態】
【００２６】
以下、図面を参照しながら、本発明の実施の形態を説明する。
【００２７】
（情報読取装置の概略構成）
図１は、本発明の実施の形態にかかる情報読取装置１の斜視図である。図２は、図１に示す情報読取装置１のガラス板３、カバー部材１５、照明４、５および媒体押え機構１２を抜き出して示す斜視図である。図３は、図２に示すガラス板３、カバー部材１５、照明４、５および媒体押え機構１２の正面図である。図４は、図１に示す情報読取装置１の内部の光路を説明するための側面図である。図５は、図１に示す情報読取装置１のシャッタ機構１４の動作を説明するための側面図である。
【００２８】
本形態の情報読取装置１は、情報記録媒体２に記録された情報を光学的に読み取る装置である。すなわち、情報読取装置１は、情報記録媒体２に印刷等された文字や図形等を読み取る装置である。この情報読取装置１は、手動式の読取装置であり、情報読取装置１への情報記録媒体２の挿入と情報読取装置１からの情報記録媒体２の抜取りとが手動で行われる。また、本形態の情報読取装置１は、比較的小さな卓上型の読取装置である。情報読取装置１で読み取られる情報記録媒体２は、パスポート２ＡおよびＩＤカード２Ｂである（図３参照）。
【００２９】
情報記録媒体２がパスポート２Ａである場合には、パスポート２Ａの表紙の裏面に記録された情報が情報読取装置１で光学的に読み取られる。情報記録媒体２がＩＤカード２Ｂである場合には、ＩＤカード２Ｂの両面に記録された情報が情報読取装置１で光学的に読み取られる。本形態のパスポート２Ａは、ＩＣパスポートであり、ＩＣチップおよび通信用のアンテナが内蔵されるＩＣページを備えている。また、ＩＤカード２Ｂは、非接触式のＩＣカードであり、ＩＤカード２Ｂには、ＩＣチップと通信用のアンテナとが内蔵されている。ＩＤカード２Ｂは、長方形状に形成されている。また、ＩＤカード２Ｂは、たとえば、厚さが０．７〜０．８ｍｍ程度の矩形状の塩化ビニール製のカードである。
【００３０】
パスポート２Ａは、開いた状態で情報読取装置１に挿入される。開いた状態で情報読取装置１に挿入されたパスポート２Ａの表紙の厚さ方向は、上下方向と一致している。また、情報読取装置１に挿入されたＩＤカード２Ｂの厚さ方向は、上下方向と一致している。本形態のパスポート２Ａは、第１の情報記録媒体であり、ＩＤカード２Ｂは、第２の情報記録媒体である。なお、図４では、説明の便宜上、パスポート２ＡとＩＤカード２Ｂとが一緒に情報読取装置１に挿入されているが、実際には、パスポート２ＡおよびＩＤカード２Ｂのいずれか一方が情報読取装置１に挿入される。
【００３１】
以下の説明では、情報読取装置１への情報記録媒体２の挿入方向側（図１等のＹ２方向側）を「奥」側または「後ろ」側とし、情報読取装置１からの情報記録媒体２の抜取り方向側（図１等のＹ１方向側）を「前」側とする。また、情報読取装置１に対する情報記録媒体２の挿入抜取り方向（図１等のＹ方向）を「前後方向」とし、上下方向と前後方向とに直交する方向（図１等のＸ方向）を「左右方向」とする。
【００３２】
情報読取装置１は、情報記録媒体２が載置される透明なガラス板３と、ガラス板３に載置された情報記録媒体２の下面に光を照射する照明４と、ガラス板３に載置された情報記録媒体２の上面に光を照射する照明５と、ガラス板３に載置された情報記録媒体２の下面に記録された情報を読み取るための光学系６と、ガラス板３に載置された情報記録媒体２の上面に記録された情報を読み取るための光学系７と、撮像素子８と、光学系６を通過した光を撮像素子８に結像させるとともに光学系７を通過した光を撮像素子８に結像させる結像光学系９と、これらの構成が収容される筐体１０とを備えている。撮像素子８は、二次元のＣＭＯＳイメージセンサまたはＣＣＤイメージセンサである。本形態のガラス板３は、載置部材であり、照明４は、第１の照明であり、照明５は、第２の照明である。また、光学系６は、第１の光学系であり、光学系７は、第２の光学系である。
【００３３】
また、情報読取装置１は、ガラス板３に載置されたパスポート２Ａの左右方向の両端部を上側から押えるための媒体押え機構１２を備えている。また、情報読取装置１は、光学系６を通過した光の一部を結像光学系９に向かって透過させるとともに光学系７を通過した光の一部を結像光学系９に向かって反射するビームスプリッタ１３と、ガラス板３に載置された情報記録媒体２の下面に記録された情報を読み取るときに光学系７からビームスプリッタ１３に入射する光を遮るとともにガラス板３に載置された情報記録媒体２の上面に記録された情報を読み取るときに光学系６からビームスプリッタ１３に入射する光を遮るシャッタ機構１４とを備えている。ビームスプリッタ１３およびシャッタ機構１４は、筐体１０に収容されている。なお、図４では、媒体押え機構１２の図示を省略している。
【００３４】
さらに、情報読取装置１は、ガラス板３に載置される情報記録媒体２よりも上側に配置される上面部１５ａと、上面部１５ａの左右の両端側に繋がる２個の側面部１５ｂと、上面部１５ａの奥端側に繋がる奥面部１５ｃとを有するカバー部材１５を備えている。本形態のカバー部材１５は、上面部１５ａと２個の側面部１５ｂと奥面部１５ｃとによって構成されている。カバー部材１５は、アクリル樹脂等の透明な樹脂で形成されている。奥面部１５ｃには、たとえば、遮光性の塗料が塗布されており、奥面部１５ｃは、奥側へ向かう光を遮断する遮光部となっている。一方、上面部１５ａおよび側面部１５ｂは、透明になっている。
【００３５】
上面部１５ａは、長方形の平板状に形成されており、上面部１５ａの厚さ方向と上下方向とが一致するように配置されている。また、上面部１５ａは、上面部１５ａの端面が前後方向または左右方向と平行になるように配置されている。側面部１５ｂは、長方形の平板状に形成されており、側面部１５ｂの厚さ方向と左右方向とが一致するように配置されている。奥面部１５ｃは、長方形の平板状に形成されており、奥面部１５ｃの厚さ方向と前後方向とが一致するように配置されている。奥面部１５ｃの左右の両端は、側面部１５ｂの奥端に繋がっている。
【００３６】
ガラス板３は、長方形の平板状に形成されており、ガラス板３の厚さ方向と上下方向とが一致するように配置されている。また、ガラス板３は、ガラス板３の端面が前後方向または左右方向と平行になるように配置されている。側面部１５ｂの下端および奥面部１５ｃの下端は、ガラス板３の上面に接触している。本形態では、ガラス板３とカバー部材１５とによって、前面が開口するとともに情報記録媒体２の少なくとも一部が配置される箱状の媒体配置部１６が形成されている。媒体配置部１６は、直方体の箱状に形成されている。図１に示すように、媒体配置部１６の、前面の開口以外の部分は、筐体１０によって覆われている。
【００３７】
ガラス板３には、ＩＤカード２Ｂの全体が載置される。また、ガラス板３には、開いた状態のパスポート２Ａの背表紙がガラス板３の前端側に配置されるように、パスポート２Ａの一部が載置される。パスポート２Ａは、個人情報が記録された表紙の裏面が下側を向くようにガラス板３に載置される。本形態では、パスポート２Ａの、ガラス板３に載置された部分の前後方向の幅は、ガラス板３に載置されたＩＤカード２Ｂの前後方向の幅（すなわち、ＩＤカード２Ｂの、ガラス板３に載置された部分の前後方向の幅）よりも広くなっている。また、パスポート２Ａの左右方向の幅は、ガラス板３に載置されたＩＤカード２Ｂの左右方向の幅よりも広くなっている。
【００３８】
なお、本形態のパスポート２Ａは、国際民間航空機関（ＩＣＡＯ）が公表したガイドラインに沿って作成されたパスポートである。ガラス板３に載置されるパスポート２Ａの表紙の裏面には、顔写真や氏名等が記載されている。また、パスポート２Ａの表紙の裏面の左右方向の両端部の奥端部分には、文字認識に利用される文字が記録されている。
【００３９】
ガラス板３の下側には、ＩＤカード２Ｂに内蔵される通信用のアンテナと通信を行うためのアンテナ（図示省略）が配置されている。このアンテナは、ガラス板３に載置された情報記録媒体２の下面の情報を光学的に読み取る際に支障の出ない位置に配置されている。また、ガラス板３よりも前側には、図１に示すように、パスポート２Ａに内蔵される通信用のアンテナと通信を行うためのアンテナ１７が配置されている。アンテナ１７は、ガラス板３よりも下側に配置されている。なお、パスポート２Ａの仕様によっては、ガラス板３の下側に配置されるアンテナと、パスポート２Ａに内蔵されるアンテナとの通信が行われることもある。
【００４０】
また、情報読取装置１は、図１に示すように、情報読取装置１の前面側かつ上面側に配置されるカメラ１８を備えている。カメラ１８は、媒体配置部１６よりも上側に配置されている。カメラ１８の光軸は、前側に向かうにしたがって上側に向かうように傾斜している。カメラ１８は、たとえば、情報記録媒体２の読取操作を行う者の顔を撮影する。
【００４１】
（照明の構成および配置）
照明４、５は、複数の光源が実装される基板２４と、光源から射出された光が入射する照明レンズ２５とを備えている。本形態の照明４、５は、光源として、白色光を射出する複数の白色ＬＥＤと、赤外光を射出する複数の赤外線ＬＥＤと、紫外光を射出する複数の紫外線ＬＥＤとを備えている。基板２４は、細長い長方形の平板状に形成されている。照明レンズ２５は、細長い略直方体状に形成されている。この照明レンズ２５は、基板２４の、光源が実装された面に固定されている。
【００４２】
照明レンズ２５には、白色ＬＥＤが射出する白色光と赤外線ＬＥＤが射出する赤外光と紫外線ＬＥＤが射出する紫外光とが入射する。情報記録媒体２には、照明レンズ２５を透過した光が照射される。なお、照明４、５から照射される赤外光は、ＯＣＲ文字等の機械読取式の印刷情報の読取りに用いられる。また、照明４、５から照射される紫外光は、情報記録媒体２の真偽判定に必要な印刷情報の読取りに用いられる。具体的には、照明４、５から照射される紫外光は、目に見えない蛍光発色インクによる印刷情報の読取りに用いられる。
【００４３】
図３に示すように、照明４は、ガラス板３よりも下側に配置されている。また、情報読取装置１は、２個の照明４を備えており、照明４は、左右方向におけるガラス板３の両外側のそれぞれに配置されている。照明４は、ガラス板３に載置される情報記録媒体２に向かって左右方向の外側から、かつ、斜め下側から光を照射する。また、図３（Ａ）に示すように、照明４から射出されガラス板３を透過した光が、ガラス板３に載置される情報記録媒体２の下面に照射される。
【００４４】
照明５は、ガラス板３に載置される情報記録媒体２よりも上側に配置されている。また、情報読取装置１は、２個の照明５を備えており、照明５は、左右方向における媒体配置部１６の両外側のそれぞれに配置されている。すなわち、２個の照明５のうちの一方の照明５は、右側に配置される側面部１５ｂの右側に配置され、２個の照明５のうちの他方の照明５は、左側に配置される側面部１５ｂの左側に配置されている。照明５は、ガラス板３に載置される情報記録媒体２に向かって左右方向の外側から、かつ、斜め上側から光を照射する。また、図３（Ｂ）に示すように、照明５から射出され側面部１５ｂを透過した光が、ガラス板３に載置される情報記録媒体２の上面に照射される。
【００４５】
（光学系、結像光学系、ビームスプリッタ、撮像素子の構成および配置）
光学系６は、長方形の平板状に形成された３個の反射ミラー（全反射ミラー）３０、３１、３２を備えている。反射ミラー３０、３１は、ガラス板３よりも下側に配置されている。具体的には、反射ミラー３０は、ガラス板３に載置されるパスポート２Ａの下側に配置されている。また、反射ミラー３１は、反射ミラー３０と略同じ高さに配置されるとともに、反射ミラー３０よりも後ろ側に配置されている。反射ミラー３２は、媒体配置部１６の後ろ側（カバー部材１５の奥面部１５ｃの後ろ側）に配置されている。また、反射ミラー３２は、反射ミラー３１の上側に配置されている。
【００４６】
反射ミラー３０〜３２は、上下方向に対して所定の角度傾いた状態で配置されている。反射ミラー３０は、後ろ側に向かうにしたがって下側に向かうように傾斜し、反射ミラー３１、３２は、後ろ側に向かうにしたがって上側に向かうように傾斜している。反射ミラー３０〜３２の上下方向に対する傾斜角度は、略４５°となっている。反射ミラー３０には、ガラス板３に載置された情報記録媒体２の下面で反射された光が入射する。反射ミラー３１には、反射ミラー３０で反射された光が入射し、反射ミラー３２には、反射ミラー３１で反射された光が入射する。
【００４７】
光学系７は、長方形の平板状に形成された２個の反射ミラー（全反射ミラー）３３、３４を備えている。反射ミラー３３、３４は、ガラス板３に載置される情報記録媒体２よりも上側に配置されている。具体的には、反射ミラー３３は、ガラス板３に載置されるＩＤカード２Ｂの上側に配置されている。また、反射ミラー３３は、カバー部材１５の上面部１５ａの上側（媒体配置部１６の上側）に配置されている。反射ミラー３４は、反射ミラー３３と略同じ高さに配置されるとともに、ガラス板３よりも後ろ側（すなわち、媒体配置部１６よりも後ろ側）に配置されている。
【００４８】
反射ミラー３３、３４は、上下方向に対して所定の角度傾いた状態で配置されている。反射ミラー３３は、後ろ側に向かうにしたがって上側に向かうように傾斜し、反射ミラー３４は、後ろ側に向かうにしたがって下側に向かうように傾斜している。反射ミラー３３、３４の上下方向に対する傾斜角度は、略４５°となっている。反射ミラー３３には、ガラス板３に載置された情報記録媒体２の上面で反射された光が入射する。反射ミラー３４には、反射ミラー３３で反射された光が入射する。
【００４９】
結像光学系９は、結像レンズ３５を備えている。結像レンズ３５は、反射ミラー３２の後ろ側に配置されている。また、結像レンズ３５は、反射ミラー３４よりも後ろ側に配置されている。撮像素子８は、結像レンズ３５の後ろ側に配置されている。すなわち、撮像素子８は、奥面部１５ｃの後ろ側に配置されている。撮像素子８は、撮像素子８の撮像面が前側を向くように配置されている。
【００５０】
ビームスプリッタ１３は、長方形の平板状に形成されている。本形態のビームスプリッタ１３は、光の透過率と反射率とが等しいハーフミラーである。ビームスプリッタ１３は、前後方向において、反射ミラー３２と結像レンズ３５との間に配置されている。すなわち、ビームスプリッタ１３は、反射ミラー３２の後ろ側であって、かつ、結像レンズ３５の前側に配置されている。また、ビームスプリッタ１３は、反射ミラー３４の下側に配置されている。
【００５１】
ビームスプリッタ１３は、上下方向に対して所定の角度傾いた状態で配置されている。具体的には、ビームスプリッタ１３は、後ろ側に向かうにしたがって下側に向かうように傾斜している。ビームスプリッタ１３の上下方向に対する傾斜角度は、略４５°となっている。ビームスプリッタ１３は、反射ミラー３２で反射された光の半分を結像レンズ３５に向かって透過させるとともに、反射ミラー３４で反射された光の半分を結像レンズ３５に向かって反射する。
【００５２】
（シャッタ機構の構成）
シャッタ機構１４は、光学系６とビームスプリッタ１３との間の光路（すなわち、反射ミラー３２とビームスプリッタ１３との間の光路）を遮る第１遮光位置３７Ａ（図５（Ｂ）参照）と、光学系７とビームスプリッタ１３との間の光路（すなわち、反射ミラー３４とビームスプリッタ１３との間の光路）を遮る第２遮光位置３７Ｂ（図５（Ａ）参照）との間で移動可能なシャッタ３７を備えている。シャッタ３７は、反射ミラー３２、３４とビームスプリッタ１３との間の光路を遮る遮光部３７ａを備えている。
【００５３】
また、シャッタ機構１４は、第１遮光位置３７Ａと第２遮光位置３７Ｂとの間でシャッタ３７を移動させるシャッタ駆動機構を備えている。シャッタ駆動機構は、シャッタ３７が固定されるレバー部材３９、および、レバー部材３９を回動させるソレノイド（図示省略）等を備えている。レバー部材３９は、左右方向を回動の軸方向として回動可能となっている。
【００５４】
（媒体押え機構の構成）
図６は、図２に示す媒体押え機構１２を別の方向から示す斜視図である。図７は、図２に示す媒体押え機構１２の正面図である。図８は、図２に示す媒体押え機構１２の分解斜視図である。図９は、図１に示す情報読取装置１に情報記録媒体２が挿入された状態を説明するための斜視図である。図１０は、図１に示す情報読取装置１にパスポート２Ａが挿入されたときの押え部材４１および接触部材４２の動作を説明するための側面図である。図１１は、図６に示す押上部４１ｆとガイドピン４１ｇとの位置関係を説明するための側面図である。
【００５５】
媒体押え機構１２は、媒体配置部１６の中に配置されている。この媒体押え機構１２は、パスポート２Ａの左右方向の両端部を上側から押える２個の押え部４１ａを有する押え部材４１と、ＩＤカード２Ｂの後端（奥端）が接触する接触部４２ａを有する接触部材４２と、押え部材４１および接触部材４２を保持する保持部材４３とを備えている。また、媒体押え機構１２は、保持部材４３に対して押え部材４１を下側に付勢する付勢部材としての圧縮コイルバネ４４、４５を備えている。本形態の媒体押え機構１２は、２個の圧縮コイルバネ４４と２個の圧縮コイルバネ４５との合計４個の圧縮コイルバネ４４、４５を備えている。
【００５６】
保持部材４３は、樹脂で形成されている。保持部材４３は、媒体押え機構１２の上面を構成する上面部４３ａと、媒体押え機構１２の後面を構成する後面部４３ｂと、媒体押え機構１２の後端側の左右の側面を構成する側面部４３ｃとを備えている。上面部４３ａは、左右方向の長さが長い略長方形の平板状に形成される基部４３ｄと、基部４３ｄの左右の両端側から前側に向かって突出する２個の突出部４３ｅとから構成されている。基部４３ｄは、基部４３ｄの厚さ方向と上下方向とが一致するように配置されている。突出部４３ｅは、前後方向の長さが長い略長方形の平板状に形成されており、突出部４３ｅの厚さ方向と上下方向とが一致するように配置されている。
【００５７】
後面部４３ｂは、左右方向の長さが長い略長方形の平板状に形成されており、後面部４３ｂの厚さ方向と前後方向とが一致するように配置されている。後面部４３ｂの上端は、基部４３ｄの後端に繋がっている。側面部４３ｃは、略長方形の平板状に形成されており、側面部４３ｃの厚さ方向と左右方向とが一致するように配置されている。側面部４３ｃの上端は、基部４３ｄの左右の両端のそれぞれに繋がり、側面部４３ｃの後端は、後面部４３ｂの左右の両端のそれぞれに繋がっている。
【００５８】
上面部４３ａの上面には、上側に向かって突出する２個の突起４３ｆと２個の突起４３ｇとが形成されている。突起４３ｆは、２個の突出部４３ｅのそれぞれの前端側部分に形成されている。突起４３ｇは、基部４３ｄの左右方向の両端側のそれぞれに形成されている。突起４３ｆの上面は、上下方向に直交する平面となっている。突起４３ｇは、半球状に形成されている。突起４３ｆの上面および突起４３ｇの上端は、カバー部材１５の上面部１５ａの下面に接触している。すなわち、保持部材４３は、上面部１５ａの下面に接触している。
【００５９】
突出部４３ｅの前端側には、下側に向かって突出する円柱状のバネ保持部４３ｈが形成されている。バネ保持部４３ｈは、圧縮コイルバネ４４の内周側に挿入されている。基部４３ｄには、圧縮コイルバネ４５の内周側に挿入される軸部４７ａが形成されるバネ保持部材４７が固定されている。バネ保持部材４７は、軸部４７ａが基部４３ｄから下側へ突出するように、基部４３ｄの上面側に固定されている。バネ保持部材４７には、２個の軸部４７ａが形成されている。
【００６０】
側面部４３ｃには、保持部材４３に対して押え部材４１を上下方向へ案内するためのガイド溝４３ｊが形成されている。ガイド溝４３ｊは、左右方向で側面部４３ｃを貫通しており、上下方向を長手方向とする長穴状に形成されている。また、側面部４３ｃには、押え部材４１に形成される後述のガイドピン４１ｇをガイド溝４３ｊに嵌めるための切欠き部４３ｋが形成されている。切欠き部４３ｋは、ガイド溝４３ｊの上端部と側面部４３ｃの前端面との間に形成されている。
【００６１】
また、側面部４３ｃには、接触部材４２に形成される後述のピン４２ｄを保持する凹部４３ｎが形成されている（図１１参照）。凹部４３ｎは、左右方向における側面部４３ｃの内側面から左右方向の外側に向かって窪むように形成されている。左右方向から見たときの凹部４３ｎの形状は、円形状となっている。凹部４３ｎは、ガイド溝４３ｊよりも後ろ側に配置されている。また、凹部４３ｎは、ガイド溝４３ｊの下端よりも下側に配置されている。
【００６２】
押え部材４１は、樹脂で形成されている。押え部材４１は、上述のように、２個の押え部４１ａを備えている。押え部４１ａは、前後方向の長さが長い直線状に形成されている。すなわち、押え部４１ａは、前後方向に平行な直線状に形成されている。具体的には、押え部４１ａは、前後方向の長さが長い板状に形成されている。また、押え部材４１は、２個の押え部４１ａのそれぞれの前端に繋がるガイド部４１ｂと、２個の押え部４１ａの後端部（奥端部）を繋ぐ接続部４１ｃとを備えている。接続部４１ｃは、押え部４１ａの後端部の上側同士を繋いでいる。
【００６３】
押え部４１ａの下面は、上下方向に直交する平面となっている。ただし、押え部４１ａの下面には、上側に向かって窪む肉盗み部４１ｄが形成されている（図６参照）。押え部４１ａの上面４１ｅは、左右方向の内側に向かうにしたがって下側に向かうように傾斜する傾斜面となっている。すなわち、右側に配置される押え部４１ａの上面４１ｅは、左側に向かうにしたがって下側に向かうように傾斜する傾斜面となっており、左側に配置される押え部４１ａの上面４１ｅは、右側に向かうにしたがって下側に向かうように傾斜する傾斜面となっている。
【００６４】
押え部４１ａは、ガラス板３に載置されたパスポート２Ａの左右方向の両端部（具体的には、パスポート２Ａの表紙の左右方向の両端部）のそれぞれの少なくとも一部分に上側から接触してパスポート２Ａの左右方向の両端部の少なくとも一部分を上側から押える機能を果たしている。本形態の押え部４１ａは、ガラス板３に載置されたパスポート２Ａの左右方向の両端部（パスポート２Ａの表紙の左右方向の両端部）のそれぞれのほぼ全体に上側から接触してパスポート２Ａの左右方向の両端部のほぼ全体を上側から押えている。すなわち、本形態の押え部４１ａは、パスポート２Ａの左右方向の両端部の奥端部分にも上側から接触してパスポート２Ａの左右方向の両端部の奥端部分も上側から押えている。
【００６５】
そのため、２個の押え部４１ａの左右方向の間隔は、パスポート２Ａの左右方向の幅よりも狭くなっている（図９（Ａ）参照）。一方、２個の押え部４１ａの左右方向の間隔は、ＩＤカード２Ｂの左右方向の幅よりも広くなっている（図３（Ｂ）、図９（Ｂ）参照）。すなわち、ガラス板３に載置されたＩＤカード２Ｂの左右方向の幅は、２個の押え部４１ａの左右方向の間隔よりも狭くなっている。
【００６６】
押え部４１ａの後端部には、接触部材４２に下側から接触して接触部４２ａを押し上げる押上部４１ｆが形成されている。すなわち、押え部材４１の左右方向の両端側のそれぞれには、押上部４１ｆが形成されている。また、押え部材４１の後端部に押上部４１ｆが形成されている。押上部４１ｆは、接続部４１ｃの下側に配置されている。押上部４１ｆの上面は、左右方向から見たときの形状が円弧となる凸曲面状に形成されている。
【００６７】
ガイド部４１ｂの左右方向の幅は、押え部４１ａの左右方向の幅と等しくなっている。ガイド部４１ｂの下面は、左右方向から見たときの形状が円弧となる凸曲面状に形成されている。また、ガイド部４１ｂの下面は、前側に向かうにしたがって上側へ向かうように傾斜している。ガイド部４１ｂの左右方向の内側面は、上下方向から見たときの形状が円弧となる凹曲面状に形成されている。また、ガイド部４１ｂの左右方向の内側面は、前側に向かうにしたがって左右方向の外側に広がっている。ガイド部４１ｂは、情報読取装置１に挿入されるパスポート２Ａを押え部４１ａの下側に案内する機能を果たしている。また、ガイド部４１ｂは、情報読取装置１に挿入されるＩＤカード２Ｂを２個の押え部４１ａの間に案内する機能を果たしている。
【００６８】
ガイド部４１ｂの後端部および押え部４１ａは、保持部材４３の突出部４３ｅの下側に配置されている。接続部４１ｃは、保持部材４３の基部４３ｄの下側に配置されている。圧縮コイルバネ４４の下端は、ガイド部４１ｂの後端部の上面に接触し、圧縮コイルバネ４５の下端は、接続部４１ｃの上面に接触している。すなわち、押え部材４１は、圧縮コイルバネ４４、４５によって保持部材４３に対して下側に付勢されており、保持部材４３に対して上下動可能となっている。情報読取装置１にパスポート２Ａが挿入されていないときには、圧縮コイルバネ４４、４５の付勢力によって、押え部４１ａの下面は、ガラス板３の上面に接触している。すなわち、情報読取装置１にパスポート２Ａが挿入されていないときには、押え部材４１は、ガラス板３の上面に接触している。
【００６９】
接続部４１ｃの左右の両側面のそれぞれには、左右方向の外側に突出するガイドピン４１ｇが形成されている。ガイドピン４１ｇは、円柱状に形成されている。ガイドピン４１ｇは、左右方向において押上部４１ｆよりも外側に配置されている。また、左右方向から見たときに、ガイドピン４１ｇは、図１１の実線で示すように、押上部４１ｆの真上に配置されている。すなわち、左右方向から見たときに、押上部４１ｆは、ガイドピン４１ｇの真下に配置されている。
【００７０】
ガイドピン４１ｇは、保持部材４３のガイド溝４３ｊに係合している。具体的には、２本のガイドピン４１ｇのそれぞれは、左右方向の内側から２個のガイド溝４３ｊのそれぞれに係合している。押え部材４１は、ガイドピン４１ｇとガイド溝４３ｊとによって、保持部材４３に対して上下方向に案内される。また、押え部材４１は、ガイドピン４１ｇを中心にして、かつ、左右方向を回動の軸方向として保持部材４３に対して回動可能となっている。
【００７１】
上下方向において、押え部４１ａと突出部４３ｅとの間には、隙間が形成されている。上下方向における押え部４１ａと突出部４３ｅとの間は、照明５から射出された光が通過する光通過部４８となっている。すなわち、押え部４１ａの上側であって、かつ、突出部４３ｅの下側は、照明５から射出され側面部１５ｂを透過した光が、ガラス板３に載置される情報記録媒体２の上面に向かって通過する光通過部４８となっている。
【００７２】
接触部材４２は、樹脂で形成されている。また、接触部材４２は、押え部材４１と別体で形成されており、押え部材４１の接続部４１ｃの下側に配置されている。接触部材４２は、上述のように、接触部４２ａを備えている。また、接触部材４２は、接触部４２ａを支持する支持部４２ｂを備えている。接触部４２ａは、左右方向の長さが長い平板状に形成されており、接触部４２ａの厚さ方向と前後方向とが略一致するように配置されている。支持部４２ｂは、左右方向の長さが長い略平板状に形成されており、支持部４２ｂの厚さ方向と上下方向とが略一致するように配置されている。接触部４２ａは、支持部４２ｂの前端に繋がっている。また、接触部４２ａは、支持部４２ｂの前端から下側へ伸びている。
【００７３】
接触部４２ａの左右方向の幅は、２個の押え部４１ａの左右方向の間隔よりも狭くなっている。また、接触部４２ａは、前後方向から見たときに２個の押え部４１ａの間に配置されている。接触部４２ａの下面の左右方向における中央部分には、図７に示すように、上側に窪む凹部４２ｃが形成されている。凹部４２ｃは、前後方向から見たときの形状が円弧となる凹曲面状に形成されている。凹部４２ｃの左右方向の幅Ｈは、ＩＤカード２Ｂの左右方向の幅（具体的には、ガラス３に載置されたＩＤカード２Ｂの左右方向の幅）よりも狭くなっている。凹部４２ｃの左右方向の外側は、上下方向に略直交する平面となっている。すなわち、接触部４２ａの下端面は、上下方向に略直交する平面となっている。
【００７４】
支持部４２ｂの左右の両端面には、左右方向の外側に突出するピン４２ｄが形成されている。ピン４２ｄは、支持部４２ｂの後端部に形成されている。また、ピン４２ｄは、円柱状に形成されている。図１１に示すように、ピン４２ｄは、保持部材４３の凹部４３ｎに係合している。具体的には、２本のピン４２ｄのそれぞれは、左右方向の内側から２個の凹部４３ｎのそれぞれに挿入されている。接触部材４２は、ピン４２ｄを中心にして、かつ、左右方向を回動の軸方向として保持部材４３に対して回動可能となっている。すなわち、接触部材４２は、左右方向を回動の軸方向とする回動が可能となるように保持部材４３に保持されている。
【００７５】
支持部４２ｂの左右方向の両端側のそれぞれには、押え部材４１の押上部４１ｆが下側から接触している。押上部４１ｆは、ピン４２ｄよりも前側に配置されている。すなわち、保持部材４３に対する接触部材４２の回動中心は、押上部４１ｆよりも後ろ側（奥側）に配置されている。また、押上部４１ｆは、接触部４２ａよりも後ろ側（奥側）に配置されている。
【００７６】
情報読取装置１に情報記録媒体２が挿入されていない状態では、接触部４２ａの下端面は、上下方向に直交する平面となっており、ガラス板３の上面に接触している。また、この状態では、接触部４２ａの前面は、前後方向に直交する平面となっている。また、この状態では、接触部４２ａの前面は、押え部材４１の接続部４１ｃの前端よりもわずかに前側に配置されている。ガラス板３の前端面と接触部４２ａの前面との距離（前後方向の距離）は、ガラス板３に載置されるパスポート２Ａの表紙の前後方向の幅よりも短くなっている（図９（Ａ）参照）。また、ガラス板３の前端面と接触部４２ａの前面との距離は、ガラス板３に載置されるＩＤカード２Ｂの前後方向の幅よりも長くなっている（図９（Ｂ）参照）。
【００７７】
本形態では、情報読取装置１にパスポート２Ａが挿入され始めると、パスポート２Ａが押え部材４１の押え部４１ａの下側に入り込んで押え部４１ａの前端側が持ち上がる（図１０（Ａ）参照）。すなわち、情報読取装置１にパスポート２Ａが挿入され始めると、押え部材４１の前端側が持ち上がる。また、パスポート２Ａが情報読取装置１の所定の位置まで入り込むと、図１０（Ｂ）に示すように、押上部４１ｆが持ち上がる。そのため、情報読取装置１にパスポート２Ａが挿入されて所定位置まで入り込むと、支持部４２ｂが押上部４１ｆに押し上げられて、接触部材４２がピン４２ｄを中心にして回動する。具体的には、図１０（Ｂ）に示すように、図１０の時計回りの方向に接触部材４２が回動して、接触部４２ａが持ち上がる。
【００７８】
上述のように、保持部材４３に対する接触部材４２の回動中心よりも押上部４１ｆが前側に配置され、かつ、接触部４２ａが押上部４１ｆよりも前側に配置されているため、接触部４２ａが持ち上がったときの接触部４２ａの上昇量は、パスポート２Ａによって持ち上げられる押上部４１ｆの上昇量よりも大きくなっている。すなわち、情報読取装置１にパスポート２Ａが挿入されたときの接触部４２ａの上昇量は、パスポート２Ａによって持ち上げられる押え部４１ａの上昇量よりも大きくなっており、パスポート２Ａの表紙の厚さよりも大きくなっている。本形態では、情報読取装置１にパスポート２Ａが挿入されたときの接触部４２ａの上昇量は、押え部４１ａの上昇量の約３倍となっている。そのため、情報読取装置１にパスポート２Ａが挿入されると、パスポート２Ａの奥端（表紙の奥端）は、接触部４２ａの下側を通過して、接触部４２ａよりも奥側に入り込む。
【００７９】
このように本形態では、パスポート２Ａが情報読取装置１に挿入されると、押え部４１ａがパスポート２Ａによって持ち上げられてパスポート２Ａの左右方向の両端部を上側から押えるとともに、接触部４２ａが持ち上げられて、パスポート２Ａの奥端が接触部４２ａの下側を通過する。また、パスポート２Ａが情報読取装置１に挿入されると、押え部４１ａの上昇動作に連動して、接触部４２ａが持ち上げられる。具体的には、パスポート２Ａが情報読取装置１に挿入されると、接触部材４２が押え部材４１によって上側に押されて接触部４２ａが持ち上げられる。
【００８０】
一方、上述のように、ガラス板３に載置されるＩＤカード２Ｂの左右方向の幅は、２個の押え部４１ａの左右方向の間隔よりも狭くなっている。そのため、情報読取装置１にＩＤカード２Ｂが挿入されても、押え部４１ａが持ち上がらず（すなわち、押え部材４１が持ち上がらず）、押上部４１ｆは持ち上がらない。したがって、情報読取装置１にＩＤカード２Ｂが挿入されても、接触部４２ａは持ち上がらない。そのため、情報読取装置１にＩＤカード２Ｂが挿入されると、接触部４２ａにＩＤカード２Ｂの奥端が接触する（図３（Ｂ）、図９（Ｂ）参照）。具体的には、接触部４２ａの前面にＩＤカード２Ｂの奥端が接触する。
【００８１】
（情報読取装置の情報読取動作）
情報読取装置１でパスポート２Ａに記録された情報が読み取られる場合、パスポート２Ａは、個人情報が記録された表紙の裏面が下側を向くように情報読取装置１に挿入される。パスポート２Ａが情報読取装置１に挿入されると、押え部４１ａがパスポート２Ａによって持ち上げられてパスポート２Ａの左右方向の両端部が押え部４１ａによって上側から押えられるとともに、パスポート２Ａの奥端が接触部４２ａよりも奥側に入り込んで、パスポート２Ａがガラス板３に載置される。パスポート２Ａがガラス板３に載置されると、照明４が光を照射して、パスポート２Ａに記録された情報が光学的に読み取られる。このときには、シャッタ３７は、第２遮光位置３７Ｂに配置されている。また、照明５は光を照射しない。
【００８２】
一方、情報読取装置１でＩＤカード２Ｂに記録された情報が読み取られる場合、ＩＤカード２Ｂが情報読取装置１に挿入される。ＩＤカード２Ｂが情報読取装置１に挿入されると、接触部４２ａにＩＤカード２Ｂの奥端が接触して、ＩＤカード２Ｂがガラス板３に載置される。ＩＤカード２Ｂがガラス板３に載置されると、まず、照明４が光を照射して、ＩＤカード２Ｂの下面に記録された情報が光学的に読み取られる。このときには、シャッタ３７は第２遮光位置３７Ｂに配置されており、また、照明５は光を照射しない。
【００８３】
ＩＤカード２Ｂの下面に記録された情報が読み取られると、シャッタ３７は第１遮光位置３７Ａに移動するとともに、照明５が光を照射して、ＩＤカード２Ｂの上面に記録された情報が光学的に読み取られる。このときには、照明４は光を照射しない。なお、ＩＤカード２Ｂに記録された情報が読み取られる場合、ＩＤカード２Ｂの上面に記録された情報が読み取られた後に、ＩＤカード２Ｂの下面に記録された情報が読み取られても良い。
【００８４】
（本形態の主な効果）
以上説明したように、本形態では、パスポート２Ａが情報読取装置１に挿入されると、押え部材４１の押え部４１ａがパスポート２Ａによって持ち上げられてパスポート２Ａの左右方向の両端部を上側から押えている。そのため、本形態では、パスポート２Ａの端部に折れ等が生じていても、パスポート２Ａの下面に記録された情報を光学的に読み取る際に、パスポート２Ａの左右方向の両端部を上側から押えて、パスポート２Ａの下面の、ガラス板３の上面からの浮き上がりを抑制することが可能になる。また、パスポート２Ａの端部に折れ等が生じていても、パスポート２Ａの下面の、ガラス板３の上面からの浮き上がりを抑制することが可能になるため、パスポート２Ａの下面の画像にグレアが発生するのを抑制することが可能になる。すなわち、本形態では、国際民間航空機関（ＩＣＡＯ）準拠のパスポート２Ａの表紙の裏面のように、コート材によって光沢処理が施されている面を読み取る場合に生じるパスポートの左右方向の両端部の奥端部分に折れ等に起因して発生するパスポート２Ａの表紙の裏面のコート材の端面からの不要な反射を抑制できるため、パスポート２Ａの左右方向の両端部の奥端部分に記録される文字認識用の文字を適切に読み取って、文字認識処理を適切に行うことが可能になる。また、本形態では、端部に折れ等が生じやすいパスポート２Ａの下面に記録された情報への白とびや黒つぶれ等の光量過多や光量不足による影響を抑制でき、パスポート２Ａの下面に記録された情報を光学的に適切に読み取ることが可能になる。
【００８５】
また、本形態のパスポート２Ａは、国際民間航空機関のガイドラインに沿って作成されたパスポートであるが、本形態では、押え部４１ａが、ガラス板３に載置されたパスポート２Ａの左右方向の両端部のほぼ全体に上側から接触してパスポート２Ａの左右方向の両端部のほぼ全体を上側から押えており、パスポート２Ａの左右方向の両端部の奥端部分も上側から押え部４１ａに押えられている。そのため、本形態では、パスポート２Ａの左右方向の両端部の奥端部分に記録される文字認識用の文字を適切に読み取って、文字認識処理を適切に行うことが可能になる。
【００８６】
なお、本形態では、パスポート２Ａが情報読取装置１に挿入されると、接触部４２ａが持ち上げられて、パスポート２Ａの奥端が接触部４２ａの下側を通過する。そのため、ガラス板３の前端面と接触部４２ａの前面との距離が、ガラス板３に載置されるパスポート２Ａの表紙の前後方向の幅よりも短くなっていても、前後方向における所定の位置までパスポート２Ａを挿入することが可能になり、その結果、パスポート２Ａの下面に記録された情報を光学的に適切に読み取ることが可能になる。
【００８７】
本形態では、２個の押え部４１ａの左右方向の間隔は、ＩＤカード２Ｂの左右方向の幅よりも広くなっている。また、本形態では、情報読取装置１にＩＤカード２Ｂが挿入されると、押え部材４１の接続部４１ｃの前端よりも前側に配置される接触部４２ａの前面にＩＤカード２Ｂの奥端が接触する。そのため、本形態では、ＩＤカード２Ｂの上面に記録された情報を光学的に読み取る際に、前後方向において、押え部材４１が写り込まない位置にＩＤカード２Ｂを位置決めすることが可能になる。したがって、本形態では、ＩＤカード２Ｂの上面に記録された情報を光学的に適切に読み取ることが可能になる。また、ＩＤカード２Ｂの端部には折れ等が生じにくいため、本形態では、ＩＤカード２Ｂが上側から押えられていなくても、ＩＤカード２Ｂの下面に記録された情報を光学的に適切に読み取ることが可能になる。したがって、本形態では、端部に折れ等は生じにくいがパスポート２Ａよりも小さいＩＤカード２Ｂの両面に記録された情報を光学的に適切に読み取ることが可能になる。
【００８８】
本形態では、情報読取装置１にパスポート２Ａが挿入されたときの接触部４２ａの上昇量は、パスポート２Ａによって持ち上げられる押え部４１ａの上昇量よりも大きくなっている。そのため、本形態では、パスポート２Ａの端部の変形量が大きくても、情報読取装置１に挿入されるパスポート２Ａの後端と接触部４２ａとの接触を防止することが可能になる。したがって、本形態では、パスポート２Ａの端部の変形量が大きくても、パスポート２Ａの後端を接触部４２ａの奥側まで挿入することが可能になる。
【００８９】
また、本形態では、接触部４２ａの下面の左右方向における中央部分に凹部４２ｃが形成されているため、左右方向の両端部が押え部４１ａによって押えられているパスポート２Ａの後端部の左右方向の中心部が大きく変形していても、情報読取装置１に挿入されるパスポート２Ａの後端と接触部４２ａとの接触を防止することが可能になる。したがって、本形態では、左右方向の両端部が押えられているパスポート２Ａの後端部の左右方向の中心部が大きく変形していても、パスポート２Ａの後端を接触部４２ａの奥側まで挿入することが可能になる。
【００９０】
本形態では、パスポート２Ａが情報読取装置１に挿入されると、押え部材４１がパスポート２Ａによって持ち上げられている。そのため、本形態では、押え部材４１を持ち上げるための機構が別途設けられている場合と比較して、情報読取装置１の構成を簡素化することが可能になる。また、本形態では、パスポート２Ａが情報読取装置１に挿入されると、パスポート２Ａによって持ち上げられる押え部材４１によって接触部材４２が上側に押されて接触部４２ａが持ち上げられている。そのため、本形態では、接触部４２ａを持ち上げるための機構が別途設けられている場合と比較して、情報読取装置１の構成を簡素化することが可能になる。
【００９１】
本形態では、押上部４１ｆの上面は、左右方向から見たときの形状が円弧となる凸曲面状に形成されている。また、本形態では、左右方向から見たときに、押上部４１ｆは、ガイドピン４１ｇの真下に配置されている。そのため、本形態では、ガイドピン４１ｇを中心にして押え部材４１が回動して傾いても、上下方向における押上部４１ｆと接触部材４２との接触位置が変動しにくくなる。すなわち、左右方向から見たときに、ガイドピン４１ｇの下側に配置される押上部４１ｆが、図１１（Ｂ）の二点鎖線で示すように、ガイドピン４１ｇよりも前側に配置されている場合やガイドピン４１ｇよりも後ろ側に配置されている場合には、ガイドピン４１ｇを中心にして押え部材４１が回動して傾いたときに、上下方向における押上部４１ｆと接触部材４２との接触位置が変動するが（図１１（Ｂ）参照）、本形態では、上下方向における押上部４１ｆと接触部材４２との接触位置が変動しにくくなる。したがって、本形態では、ガイドピン４１ｇを中心にして押え部材４１が回動して傾いても、接触部４２ａの上昇量の変動を抑制することが可能になる。
【００９２】
本形態では、情報読取装置１にパスポート２Ａが挿入されていないときに、圧縮コイルバネ４４、４５の付勢力によって、保持部材４３は上面部１５ａの下面に接触し、かつ、押え部材４１はガラス板３の上面に接触している。そのため、本形態では、圧縮コイルバネ４４、４５を撓ませることで、媒体押え機構１２を媒体配置部１６から取り外すことが可能になる。すなわち、本形態では、媒体配置部１６から媒体押え機構１２を容易に取り外すことが可能になる。また、本形態では、媒体配置部１６から媒体押え機構１２を取り外すことで、ガラス板３の上面を容易に清掃することが可能になる。
【００９３】
本形態では、押え部４１ａの上側であって、かつ、突出部４３ｅの下側は、照明５から射出され側面部１５ｂを透過した光が、ガラス板３に載置される情報記録媒体２の上面に向かって通過する光通過部４８となっている。そのため、本形態では、パスポート２Ａの左右方向の両端部を押える押え部材４１が設けられていても、ガラス板３に載置された情報記録媒体２の上面に光を適切に照射することが可能になる。
【００９４】
また、本形態では、押え部４１ａの上面４１ｅは、左右方向の内側に向かうにしたがって下側に向かうように傾斜する傾斜面となっているため、ガラス板３に載置される情報記録媒体２に向かって左右方向の外側から、かつ、斜め上側から照射される照明５の光が押え部４１ａによって遮られにくくなる。また、上面４１ｅが、左右方向の内側に向かうにしたがって下側に向かうように傾斜する傾斜面となっているため、情報読取装置１に挿入されたＩＤカード２を、上面４１ｅを利用して２個の押え部４１ａの間に案内することが可能になる。
【００９５】
（他の実施の形態）
上述した形態は、本発明の好適な形態の一例ではあるが、これに限定されるものではなく本発明の要旨を変更しない範囲において種々変形実施が可能である。
【００９６】
上述した形態において、押え部４１ａは、ガラス板３に載置されたパスポート２Ａの左右方向の両端部のそれぞれの一部分に上側から接触してパスポート２Ａの左右方向の両端部の一部分を上側から押えていても良い。この場合、パスポート２Ａが国際民間航空機関のガイドラインに沿って作成されたパスポートであれば、押え部４１ａは、パスポート２Ａの左右方向の両端部の少なくとも奥端部分に上側から接触してパスポート２Ａの左右方向の両端部の少なくとも奥端部分を上側から押えている。
【００９７】
上述した形態において、圧縮コイルバネ４４の付勢力は、圧縮コイルバネ４５の付勢力より強くなっていても良い。この場合には、情報読取装置１にパスポート２Ａが挿入され始めた後、より早い段階で、押え部材４１の前端側を押し下げて、押え部材４１の後端側を持ち上げることが可能になる。すなわち、情報読取装置１にパスポート２Ａが挿入され始めた後、より早い段階で、押上部４１ｆを持ち上げることが可能になる。そのため、情報読取装置１にパスポート２Ａが挿入され始めた後、より早い段階で、押上部４１ｆによって接触部４２ａを押し上げることが可能になる。したがって、情報読取装置１に挿入されるパスポート２Ａの奥端と接触部４２ａとの接触をより確実に防止しやすくなる。
【００９８】
この場合、圧縮コイルバネ４４は、保持部材４３の前端側に配置される第１の圧縮コイルバネであり、圧縮コイルバネ４５は、保持部材４３の後端側（奥端側）に配置される第２の圧縮コイルバネである。なお、押え部材４１の重心がより前側となるように押え部材４１が形成されていても良い。この場合であっても、情報読取装置１にパスポート２Ａが挿入され始めた後、より早い段階で、押え部材４１の前端側を押し下げて、押え部材４１の後端側を持ち上げることが可能になる。したがって、情報読取装置１に挿入されるパスポート２Ａの奥端と接触部４２ａとの接触をより確実に防止しやすくなる。
【００９９】
上述した形態において、押え部４１ａは、前後方向を回動の軸方向として保持部材４３に対して回動可能となっていても良い。この場合には、保持部材４３に対する押え部４１ａの回動中心よりも押上部４１ｆが左右方向の内側に配置される。また、上述した形態において、押え部材４１と接触部材４２とが一体で形成されていても良い。この場合には、たとえば、一体で形成される押え部材４１および接触部材４２の全体または一部がゴムで形成されていても良い。
【０１００】
上述した形態において、押え部４１ａの上昇動作に連動して接触部４２ａが持ち上げられなくても良い。たとえば、媒体押え機構１２が、情報読取装置１に挿入されるパスポート２Ａの後端に押されて移動または回動する部材を備えており、この部材の動きに連動して接触部４２ａが持ち上げられても良い。すなわち、この部材によって接触部材４２が上側に押されて接触部４２ａが持ち上げられても良い。また、媒体押え機構１２が、接触部材４２を回動させる駆動源と、パスポート２Ａの後端を検知する検知機構とを備えており、検知機構の検知結果に基づいて接触部材４２を回動させることで、接触部４２ａが持ち上げられても良い。
【０１０１】
上述した形態において、媒体押え機構１２は、押え部材４１を昇降させる昇降機構を備えていても良い。この場合には、情報読取装置１にパスポート２Ａが挿入されると、上昇位置にある押え部材４１が下降して、パスポート２Ａの左右方向の両端部を上側から押える。また、上述した形態において、情報読取装置１にパスポート２Ａが挿入されたときの接触部４２ａの上昇量が、パスポート２Ａによって持ち上げられる押え部４１ａの上昇量と等しくなっていても良い。この場合には、たとえば、接触部材４２は、上下方向にスライド可能となるように保持部材４３に保持されている。また、この場合には、たとえば、押え部材４１と接触部材４２とが一体で形成されている。
【０１０２】
上述した形態において、押え部材４１は、圧縮コイルバネ４４、４５以外のバネ部材によって下側に付勢されていても良い。また、上述した形態において、媒体押え機構１２は、圧縮コイルバネ４４、４５を備えていなくても良い。この場合には、保持部材４３の突出部４３ｅが不要になる。また、この場合には、パスポート２Ａによって持ち上げられた押え部材４１は、パスポート２Ａが抜き取られると、自重で下がる。また、上述した形態において、媒体押え機構１２は、媒体配置部１６の中に固定されていても良い。
【０１０３】
上述した形態において、ガイドピン４１ｇに代えて、押え部材４１と別体で形成されるガイドピンが押え部材４１に固定されていても良い。また、上述した形態において、ガイド溝４３ｊに相当するガイド溝が押え部材４１に形成され、ガイドピン４１ｇに相当するガイドピンが保持部材４３に形成または固定されていても良い。さらに、上述した形態において、押上部４１ｆは、ガイドピン４１ｇの真下に配置されていなくても良い。また、上述した形態において、押え部４１ａの上面４１ｅは傾斜面となっていなくても良いし、接触部４２ａの下面に凹部４２ｃが形成されていなくても良い。
【０１０４】
上述した形態において、ビームスプリッタ１３に代えて、光学系６を通過した光を結像光学系９に向かって通過させる位置と、光学系７を通過した光を結像光学系９に向かって反射する位置とに回動する反射ミラーが設けられていても良い。この反射ミラーは、たとえば、一眼レフカメラの反射ミラーと同様に、左右方向を回動の軸方向として４５°回動する。この場合には、シャッタ機構１４が不要になる。
【０１０５】
上述した形態において、ビームスプリッタ１３が、光学系６を通過した光の一部を結像光学系９に向かって反射するとともに光学系７を通過した光の一部を結像光学系９に向かって透過させるように、光学系６、７が構成されても良い。また、上述した形態において、光学系６を通過した光が入射する結像光学系および撮像素子と、光学系７を通過した光が入射する結像光学系および撮像素子とが個別に設けられていても良い。さらに、上述した形態において、情報読取装置１は、ガラス板３に代えて、たとえば、アクリル板等の透明な樹脂板を備えていても良い。
【０１０６】
上述した形態において、情報記録媒体２にＩＣチップが内蔵されていなくても良い。この場合には、ガラス板３の下側に配置されるアンテナおよびアンテナ１７が不要になる。また、上述した形態において、情報記録媒体２は、パスポート２ＡおよびＩＤカード２Ｂ以外の媒体であっても良い。たとえば、情報記録媒体２は、運転免許証であっても良い。また、上述した形態では、情報読取装置１は、手動式の読取装置であるが、本発明の構成が適用される情報読取装置は、情報記録媒体の搬送機構を有する媒体搬送式の読取装置であっても良い。
【０１０７】
なお、本明細書において、第２の情報記録媒体には、国際民間航空機関（ＩＣＡＯ）による旅券規格の準拠のＴＤ１（Ｍａｃｈｉｎｅ Ｒｅａｄａｂｌｅ  Ｔｒａｖｅｌ  Ｄｏｃｕｍｅｎｔｓ）や国際標準化機構（ＩＳＯ）のＩＤ−１に準拠のカード、運転免許証、永住者カード（Ｐｅｒｍａｎｅｎｔ  Ｒｅｓｉｄｅｎｔ  Ｃａｒｄ）、米国軍のＩＤカード等の各種カードが含まれるものとする。
【符号の説明】
【０１０８】
１  情報読取装置
２  情報記録媒体
２Ａ  パスポート（第１の情報記録媒体）
２Ｂ  ＩＤカード（第２の情報記録媒体）
３  ガラス板（載置部材）
４  照明（第１の照明）
５  照明（第２の照明）
６  光学系（第１の光学系）
７  光学系（第２の光学系）
１５  カバー部材
１５ａ  上面部
４１  押え部材
４１ａ  押え部
４１ｃ  接続部
４１ｅ  上面（押え部の上面）
４１ｆ  押上部
４１ｇ  ガイドピン
４２  接触部材
４２ａ  接触部
４２ｃ  凹部
４３  保持部材
４３ｊ  ガイド溝
４４  圧縮コイルバネ（付勢部材、第１の圧縮コイルバネ）
４５  圧縮コイルバネ（付勢部材、第２の圧縮コイルバネ）
４８  光通過部
Ｘ  左右方向
Ｙ  前後方向
Ｙ１  前側
Ｙ２  奥側
【図１】
2018190367.tif 000003
【図２】
2018190367.tif 000004
【図３】
2018190367.tif 000005
【図４】
2018190367.tif 000006
【図５】
2018190367.tif 000007
【図６】
2018190367.tif 000008
【図７】
2018190367.tif 000009
【図８】
2018190367.tif 000010
【図９】
2018190367.tif 000011
【図１０】
2018190367.tif 000012
【図１１】
2018190367.tif 000013